(57)【要約】【課題】印刷添付物を、高い処理能力で確実に、かつ製品を傷つけないように印刷主製品へ供給する。【解決手段】印刷主製品２の紙９を、少なくとも、開かれた配置頁１０の半分にわたって垂直方向からアクセス可能になる程度まで開き、印刷添付物３ａ，３ｂ，３ｃを搬送通路４の搬送方向Ｆに印刷主製品２に供給する。このときの供給方向２０は搬送方向Ｆによって定まる垂直平面に位置している。【選択図】図１
2006131416.tif 000002
【特許請求の範囲】
【請求項１】
ペラ、折り丁、ＣＤ、商品見本等の印刷添付物（３ａ，３ｂ，３ｃ）を印刷主製品（２）に挿入および／または差し込む方法であって、
前記印刷主製品(2)は実質的に平坦に置かれてその判型高さの方向に、少なくとも１つの案内壁（８）を有する搬送通路（４）の中を搬送手段（５）の連行体（６）によって間隔をおきながら運ばれ、
前記印刷主製品（２）の少なくとも１枚の紙（９，３２）が前記印刷添付物（３ａ，３ｂ，３ｃ）の供給のために開けられ、引き続いて再び閉じられる、印刷添付物を印刷主製品に挿入および／または差し込む方法において、
前記印刷主製品（２）の前記少なくとも１枚の紙（９，３２）を、少なくとも、該紙を開くことによって開かれた配置頁（１０）の半分にわたって垂直方向からアクセス可能になる程度まで開き、
前記印刷添付物（３ａ，３ｂ，３ｃ）を前記搬送通路（４）の搬送方向（Ｆ）に前記印刷主製品（２）に供給し、このときの供給方向（２０）は前記搬送方向（Ｆ）によって定まる垂直平面に位置している
ことを特徴とする、印刷添付物を印刷主製品に挿入および／または差し込む方法。
【請求項２】
前記印刷主製品（２）の前記少なくとも１枚の紙（９，３２）が、前記印刷主製品（２）の開かれた前記配置頁（１０）へ垂直方向からほぼ完全にアクセス可能な程度まで開かれる、請求項１に記載の方法。
【請求項３】
前記印刷主製品（２）の前記少なくとも１枚の紙（９，３２）が、前記開かれた後に通路状の案内部（２７）の中を案内される、請求項１または２に記載の方法。
【請求項４】
前記印刷主製品（２）の前記少なくとも１枚の紙（９，３２）が、前記開かれた後に他の搬送手段（２９，３０）によって支持されながら運ばれる、請求項１から３までのいずれか１項に記載の方法。
【請求項５】
前記印刷添付物（３ａ，３ｂ，３ｃ）が、少なくとも、前記開かれた配置頁（１０）の上に載せられた瞬間に、前記印刷主製品（２）と同期した搬送運動で供給される、請求項１から４までのいずれか１項に記載の方法。
【請求項６】
前記印刷添付物（３ａ，３ｂ，３ｃ）が実質的に直線状に前記印刷主製品（２）へ供給され、このときの前記供給方向（２０）は主面に対して傾いている、請求項１から５までのいずれか１項に記載の方法。
【請求項７】
請求項１から６までのいずれか１項に記載された、印刷添付物（３ａ，３ｂ，３ｃ）を印刷主製品（２）に挿入および／または差し込む装置であって、
前記印刷主製品（２）が実質的に平坦に置かれて搬送手段（５）の連行体（６）によって間隔をおきながら運ばれる、通路底面（７）と少なくとも１つの案内壁（８）を有する搬送通路（４）と、
前記印刷主製品（２）の少なくとも１枚の紙（９，３２）を開く開き装置（２１，３１）と、
前記開き装置の下流側にあり、前記印刷主製品（２）の前記少なくとも１枚の紙（９，３２）をそらせる案内手段（２４，３２，２５，２６）と、
前記印刷添付物（３ａ，３ｂ，３ｃ）を供給する少なくとも１つの供給装置（１１，１６）と
を備えている、印刷添付物を印刷主製品に挿入および／または差し込む装置において、
前記案内手段（２５，２６）は、前記印刷主製品（２）の前記少なくとも１枚の紙（９，３２）が、少なくとも、該紙が開かれることによって開かれた配置頁（１０）の半分にわたって垂直方向からアクセス可能になる程度まで開かれるように、前記通路底面（７，７ａ）に対して傾いた支持・案内面を形成しており、
前記供給装置（１１，１６）は、前記印刷添付物（３ａ，３ｂ，３ｃ）の供給方向（２０）に関して、前記搬送通路（４）の搬送方向（Ｆ）に向いている
ことを特徴とする、印刷添付物を印刷主製品に挿入および／または差し込む装置。
【請求項８】
前記支持・案内面が案内棒（２６）または案内板（２５）で構成されている、請求項７に記載の装置。
【請求項９】
前記支持・案内面が案内通路（２７）として構成されている、請求項７または８に記載の装置。
【請求項１０】
前記支持・案内面が前記通路底面（７ａ）に対して実質的に垂直に向いている、請求項７から９までのいずれか１項に記載の装置。
【請求項１１】
前記印刷主製品（２）の前記少なくとも１枚の紙（９，３２）を前記支持・案内面の上で搬送支持する搬送手段（２９，３０）を備えている、請求項７から１０までのいずれか１項に記載の装置。
【請求項１２】
水平な、または前記搬送通路（４）の搬送方向に対して横向きに傾いた、平坦な通路底面を備えている、請求項７から１１までのいずれか１項に記載の装置。
【請求項１３】
前記通路底面（７）が、水平な通路底面（７ａ）と、前記搬送方向（Ｆ）に対して横向きに、かつ前記案内壁（８）に対して傾いた通路底面（７ｂ）とで構成されている、請求項７から１２までのいずれか１項に記載の装置。
【請求項１４】
前記供給装置が、前記印刷添付物（３ａ，３ｂ，３ｃ）を回転によって１枚ずつにさばいて供給するローラフィーダ（１６）であり、前記印刷添付物（３ａ，３ｂ，３ｃ）の載置は前記搬送通路（４）の搬送方向（Ｆ）に行われる、請求項７から１３までのいずれか１項に記載の装置。
【請求項１５】
前記供給装置が、前記印刷添付物（３ａ，３ｂ，３ｃ）を１枚ずつにさばいて搬送方向（Ｆ）に供給するサクションベルトフィーダ（１１）である、請求項７から１４までのいずれか１項に記載の装置。
【請求項１６】
前記供給装置が、回答ハガキ、広告添付物、ＣＤ、商品見本等を前記印刷主製品（２）の開いた配置頁（１０）に貼り付けるカード接着装置である、請求項７から１５までのいずれか１項に記載の装置。
【発明の詳細な説明】
【技術分野】
【０００１】
本発明は、請求項１の前提項および請求項７の前提項に記載された、ペラ、折り丁、ＣＤ、商品見本等の印刷添付物（Ｄｒｕｃｋｂｅｉｌａｇｅｎ）を印刷主製品に挿入および／または差し込む方法および装置に関する。
【背景技術】
【０００２】
挿入もしくは差込という用語は、印刷仕上げ処理において、ペラ、折り丁、ＣＤ、商品見本等を完成製品（たとえば新聞、雑誌、仮とじ本（Ｂｒｏｓｃｈｕｒｅｎ））に挟み込むことを意味する。挟み込まれる印刷添付物は、多くの場合、宣伝の目的に利用されるものである。この工程は、該当する印刷主製品を包装する前に行われる。印刷主製品フィーダと、印刷主製品に印刷添付物を差し込んだり載せたりするための一列の添付物フィーダおよびラベルディスペンサと、印刷主製品を印刷添付物とともに包装するフィルム収縮包装機と、インクジェットプリンタと、郵便番号制御部と、選別分岐部と、交互積み機とで構成されたモジュールシステムの梱包設備が知られている。
【０００３】
印刷主製品は、その判型高さの方向に、すなわち綴じられた背が搬送方向に対して縦向きになるように、搬送手段の連行体によって搬送通路の中を、間隔をおいて運ばれる。印刷添付物を差し込むために、印刷主製品の最初の紙の前端が、回転する吸引器によって持ち上げられ、下流側にあるそらせ板へ渡されることによって、印刷主製品が開かれる。最初の紙は、そらせ板の上で、印刷主製品の主要部に対して最大３０から４５°の鋭角で運ばれるので、印刷主製品は実質的に前小口（Ｖｏｒｄｅｒｓｃｎｉｔｔ）でのみ開かれているのに対して、印刷添付物を入れることが意図される配置頁（Ｐｌａｔｚｉｅｒｕｎｇｓｓｅｉｔｅ）は、開かれた紙によってまだ６０％以上が覆われている。最初の紙をそれ以上持ち上げるために、印刷主製品は、その前方の天または地の側で、開きブレードに押し当てられる。印刷添付物が差し込まれた後、開いた紙を戻すことによって印刷主製品が再び閉じられ、場合によって、さらに別の印刷添付物が印刷主製品の上面に載せられる。
【０００４】
印刷添付物は、印刷主製品の搬送方向に対して横向きに向いた公知の回転式フィーダもしくはローラフィーダによってカートリッジから１つずつ取り出され、連続的に前進している印刷主製品に、その搬送方向に対して実質的に横向きに供給されて、印刷主製品の前小口の開口部から差し込まれる。供給された印刷添付物は供給後に方向転換をし、そのため、製品を傷つけない確実な印刷添付物の供給という観点から、このような挿入・差込機の処理能力は制限されてしまう。
【０００５】
特許文献１には、印刷添付物が実質的に水平平面で印刷主製品の搬送方向に対して斜め向きに供給され、印刷添付物の前方の側端は搬送通路の案内壁と平行である装置が記載されている。斜め向きの搬送方向によって印刷主製品の搬送方向の速度成分が生じ、それによって、搬送通路の連行体による、印刷添付物の後方端での加速衝撃が小さくなる。搬送通路に対して直角に向いた速度成分が減り、その結果、向かい合う案内壁もしくは印刷主製品の背における印刷添付物の衝突速度が低くなる。
【０００６】
特許文献２によって、搬送方向に対して横向きに供給される印刷添付物が、同じ方向に回転する２つの真空ディスクによって搬送方向に見て前方に加速される、印刷添付物を供給する装置が公知である。実質的に水平に配置され、それぞれ吸引開口部を備える真空ディスクが印刷添付物をそれぞれ１点で把持し、９０°の回転運動中に相応の並進運動をするように印刷添付物を強制する。そのときに加速力が生じるので、この装置によっては、軽量で安定した印刷添付物しか処理することができない。
【特許文献１】欧州特許出願公開明細書１２３１１７６Ａ１
【特許文献２】欧州特許出願公開明細書０７３８６８２Ａ１
【発明の開示】
【発明が解決しようとする課題】
【０００７】
本発明の目的は、印刷添付物を、高い処理能力で確実に、かつ製品を傷つけないように印刷主製品へ供給することを可能にする、請求項１の前提項および請求項７の前提項に記載された、ペラ、折り丁、ＣＤ、商品見本等の印刷添付物を印刷主製品に挿入および／または差し込む方法および装置を提供することである。
【０００８】
本発明の他の目的は、印刷添付物の、位置の正確な挿入もしくは差込を可能にすることである。
【課題を解決するための手段】
【０００９】
この目的は、本発明によれば、方法においては請求項１の特徴部の特徴によって達成される。装置は、請求項７の特徴部の特徴によって上記の目的を達成する。この発明の思想の要諦は、印刷主製品の意図される配置頁に印刷添付物を上から載せることが可能であり、したがって同じ搬送方向に印刷主製品に供給可能である程度まで、印刷主製品を開くことにある。印刷添付物の供給の急激な方向転換が生じなくなるので、製品を傷つけない供給が、高い速度で可能となる。特に不安定な印刷添付物が曲がることがなくなり、正確な位置で配置頁の上に載せられる。印刷添付物の後方端を連行体に当接させながら、および／または印刷主製品の背に側端を当接させながら、印刷添付物を挿入もしくは差込する必要がなくなり、その結果、印刷添付物を予め設定可能な正確な位置で印刷主製品に配置することが可能である。印刷主製品の少なくとも最初の紙を約９０°だけ開くのが好ましく、それによって、綴じられた背の近くまで印刷添付物を供給可能、かつ配置頁の上に載置可能となる。
【発明を実施するための最良の形態】
【００１０】
次に、本発明の実施の形態について図面を参照して説明する。
【００１１】
図１と図２には、印刷添付物３ａ，３ｂを仮とじ本２へ差し込むためのそれぞれ２つのフィーダ１１および１６と、印刷添付物３ｃを載せるための第３のフィーダ１１および１６とを備える、それぞれ全体に符号１が付された差込機が示されている。図１の差込機と、これに該当する図２の実施形態との間の違いについては、以後の説明の過程で明らかにする。
【００１２】
仮とじ本２は、搬送通路４の中を搬送チェーン５の連行体６によって、等しい相互間隔で連続的に前方へ運ばれていき、実質的に平坦に置かれて運ばれる仮とじ本２の綴じられた背は、搬送通路４の搬送方向Ｆに対して縦向きに向いている。この搬送通路４は、通路底面７と側方の案内壁８とで構成されている。図３と図４からわかるように、搬送通路４は、水平な通路底面７ａと、搬送方向Ｆに対して横向きに案内壁８に向かって傾いた通路底面７ｂとを備え、仮とじ本２の背が案内壁８で案内される、丁合い機で用いられる搬送通路である
印刷添付物３ａ，３ｂ，３ｃを差し込むためには、仮とじ本２を開かなくてはならない。これは、図１の実施形態では、仮とじ本２の前小口の近くに配置され、回転弁２３で制御される吸引器２２によって仮とじ本２の最初の紙９を吸引し、そらせ板２４に渡す回転式開き装置２１によって行われる。吸引器２２の回転運動は、最初の紙９の前端がほぼ同期した速度で吸引されて仮とじ本２から持ち上げられるように設定されている。図２の実施形態では、相応に成形された先端部で仮とじ本２の天または地に差し込まれ、それによって、上側の複数の紙３２を各仮とじ本２から持ち上げることができる、定置に配置された開きブレード３１が用いられている。
【００１３】
持ち上げられた紙９または３２は、縦軸で次第に大きく曲がるそらせ板２４もしくは開きブレード３１によって、仮とじ本２の搬送中にさらに大きく開かれ、次いで、案内板２５もしくは案内棒２６に渡される。このときに紙９もしくは３２は、ほぼ９０°の開き角αだけひねられる。案内板２５もしくは案内棒２６は紙９もしくは３２に支持・案内面を提供し、持ち上げられた紙９もしくは３２が確実に案内される案内通路２７を案内壁８とともに構成している。特に複数の紙３２を含む上側の仮とじ本部分が開かれた後、搬送通路２７に沿って配置されたエンドレスの搬送ベルト２９の突起３０が、搬送チェーン５の各連行体６に加えて、仮とじ本２を押すように前進させることによって、これらの持ち上げられた紙３２に対する搬送補助によって、仮とじ本２の申し分のない搬送が行われる。
【００１４】
９０°開くことによって、差し込まれるべき印刷添付物３ａ，３ｂの配置頁１０は垂直方向からほぼ全面的にアクセス可能である。それによって、印刷添付物３ａ，３ｂを仮とじ本２の搬送方向Ｆに供給することが可能になる。図１の差込機１ではいわゆるサクションベルトフィーダ１１が用いられており、そのカセット１２からその都度一番下にある印刷添付物３ａ，３ｂ，３ｃが、搬送チェーン５を搬送するサイクルに合わせて搬送方向Ｆに押し出され、引出しローラ１３に供給される。仮とじ本２に向かって斜め下方に延びる、側方の支持板１５が付属するクランプコンベヤ１４を経由して、印刷添付物３ａ，３ｂは同期した搬送運動で、仮とじ本２の意図された配置頁１０の上に到達する。それによって生じる供給方向２０は、搬送方向Ｆによって定まる垂直平面に位置している。
【００１５】
図２に示す差込機１の第２の実施形態では、サクションベルトフィーダ１１に代えて、いわゆるローラフィーダ１６が印刷添付物３ａ，３ｂ，３ｃの供給のために設けられている。ローラフィーダ１６は、印刷添付物３ａ，３ｂ，３ｃをその上に配置されたラック１７から引き出して、仮とじ本２の配置頁１０の上に印刷添付物３ａ，３ｂを載せるために斜め下方を向いた供給方向２０を備える引渡しコンベヤ１９に渡す、紙さばきローラ１８をそれぞれ有している。
【００１６】
印刷添付物３ａ，３ｂが挿入された後、開かれた紙９もしくは３２は、案内壁８から始まる戻し案内板２８によって仮とじ本２のほうへ戻され、それによって、印刷添付物３ａ，３ｂが挿入された仮とじ本２が閉じられる。その後、仮とじ本２の上面に載せられる、さらに別の印刷添付物３ｃを供給することができる。図１と図２では、そのために、さらに別のサクションベルトフィーダ１１および別のローラフィーダ１６が図示されている。
【００１７】
本発明の方法によって、印刷添付物３ａ，３ｂ，３ｃを印刷主製品２に同じ搬送方向Ｆ，２０に供給することが初めて可能となる。搬送運動中に、横方向運動や方向転換をする必要はない。同期した搬送速度で載置が行われ、それによって、印刷添付物３ａ，３ｂのエッジを綴じ目に沿って当接させたり、連行体６の手前に当接させることなく、正確な位置での供給が可能となる。このことは、特に高い処理能力を可能にする。さらに、印刷添付物３ａ，３ｂを印刷主製品２の内部で特定の位置に固定することが可能であり、たとえば、次の包装で確実な仕上げ処理をするためにハガキ（Ｋａｒｔｅｎ）を接着したり、印刷添付物３ａ，３ｂを静電気で固定することが可能である。６０°の開き角αで、すでに配置頁１０の面積の５０％を超えて上方からアクセス可能なので、比較的小さい印刷添付物３ａ，３ｂについては、搬送方向Ｆでの供給が可能である。
【図面の簡単な説明】
【００１８】
【図１】印刷添付物のフィーダとともに差込機を示す側面図である。
【図２】差込機の第２の実施形態を示す図である。
【図３】図１のＩＩＩ−ＩＩＩ断面で差込機を示す断面図である。
【図４】ＩＶ−ＩＶ断面で差込機を示す第２の断面図である。
【符号の説明】
【００１９】
１  差込機
２  仮とじ本
３ａ，３ｂ，３ｃ  印刷添付物
４  搬送通路
５  搬送チェーン
６  連行体
７  通路底面
７ａ  水平な通路底面
７ｂ  傾いた通路底面
８  案内壁
９  最初の紙
１０  配置頁
１１  サクションベルトフィーダ
１２  ラック
１３  引出しローラ
１４  クランプコンベヤ
１５  支持板
１６  ローラフィーダ
１７  ラック
１８  紙さばきドラム
１９  引渡しコンベヤ
２０  供給方向
２１  回転式開き装置
２２  吸引器
２３  回転弁
２４  そらせ板
２５  案内板
２６  案内棒
２７  案内通路
２８  戻し案内板
２９  搬送ベルト
３０  カム
３１  開きブレード
３２  複数の紙
Ｆ  搬送方向
α  開き角
【図１】
2006131416.tif 000003
【図２】
2006131416.tif 000004
【図３】
2006131416.tif 000005
【図４】
2006131416.tif 000006